(57)【要約】  第１方向（Ｄ１）を長手方向とする蒸着用のマスクシートであって、グリップ可能な第１側端部（Ｇ１）と、複数の貫通孔を有する中間部（Ｍ）とを備え、前記第１側端部および中間部の間に、第１方向と直交する第２方向（Ｄ２）の長さである幅（Ｗｋ）が中間部よりも小さい第１狭幅部（Ｋ１）、あるいは、前記第２方向に向かい合う２つのエッジに沿って厚みが中間部の最大厚みよりも小さくされた２つのエッジパターンを含む。
2018051444.tif 000002
【特許請求の範囲】
【請求項１】
第１方向を長手方向とする蒸着用のマスクシートであって、
グリップ可能な第１側端部と、複数の貫通孔を有する中間部とを備え、
前記第１側端部および中間部の間に、第１方向と直交する第２方向の長さである幅が中間部よりも小さい第１狭幅部、あるいは、前記第２方向に向かい合う２つのエッジに沿って厚みが中間部の最大厚みよりも小さくされた２つのエッジパターンを含むマスクシート。
【請求項２】
第１狭幅部において第２方向に向かい合う２つのエッジは、中間部において第２方向に向かい合う２つのエッジよりも、第２方向に関して内側に位置する請求項１記載のマスクシート。
【請求項３】
前記中間部は、複数の貫通孔が形成された有効部と、有効部を取り囲む非有効部とを含む請求項１記載のマスクシート。
【請求項４】
前記第１側端部の幅は、中間部の幅よりも小さく、有効部の幅よりも大きい請求項３記載のマスクシート。
【請求項５】
前記第１狭幅部は括れ形状であって、第１狭幅部の最小幅が、有効部の幅よりも大きく、第１側端部の幅よりも小さい請求項３記載のマスクシート。
【請求項６】
前記第１側端部と中間部との間に、中間部の最大厚みよりも小さな厚みをもつ複数の線条パターンが、中間部に向けて放射状に伸びるように設けられている請求項１記載のマスクシート。
【請求項７】
前記２つのエッジパターンの間隔が有効部の幅よりも大きい請求項１記載のマスクシート。
【請求項８】
グリップ可能な第２側端部および上記中間部の間に、中間部よりも幅が小さい第２狭幅部、あるいは、前記第２方向に向かい合う２つのエッジに沿って厚みが中間部の最大厚みよりも小さくされた２つのエッジパターンを含む請求項１に記載のマスクシート。
【請求項９】
前記複数の貫通孔は、蒸着対象となる粒子を通過させる蒸着孔である請求項１〜８のいずれか１項に記載のマスクシート。
【請求項１０】
請求項１に記載のマスクシートと、このマスクシートが固定される枠体とを備える蒸着マスク。
【請求項１１】
前記第１狭幅部に設けられた溶接部、あるいは、前記２つのエッジパターンの間に設けられた溶接部においてマスクシートと枠体とが溶接されている請求項１０に記載の蒸着マスク。
【請求項１２】
前記溶接部の第２方向の長さが、第１狭幅部の幅に等しい請求項１１に記載の蒸着マスク。
【請求項１３】
前記溶接部の第２方向の長さが、第１狭幅部の最小幅に等しい請求項１２に記載の蒸着マスク。
【請求項１４】
前記溶接部の第２方向の長さが、第１側端部の幅に等しい請求項１１に記載の蒸着マスク。
【請求項１５】
前記溶接部の第２方向の長さが、中間部に設けられる有効部の幅以上である請求項１１に記載の蒸着マスク。
【請求項１６】
前記枠体に架ける第１および第２架橋シートを備え、中間部において第２方向に向かい合う２つのエッジの一方が前記第１架橋シートに重ねられるとともに、他方が前記第２架橋シートに重ねられている請求項１１記載の蒸着マスク。
【請求項１７】
前記溶接部の第２方向の長さが、中間部の幅から、前記中間部の２つのエッジの一方と前記第１架橋シートとの重畳幅と、前記中間部の２つのエッジの他方と前記第２架橋シートとの重畳幅とを減じて得られる値以下とされている請求項１６記載の蒸着マスク。
【請求項１８】
前記第１および第２架橋シートの各端部は、枠体に設けられた凹部に、その開口から露出しないように嵌め込まれている請求項１６に記載の蒸着マスク。
【請求項１９】
請求項１０〜１８のいずれか１項に記載の蒸着マスクを用いた蒸着工程を含む表示パネルの製造方法。
【発明の詳細な説明】
【技術分野】
【０００１】
本発明は、蒸着用のマスクシート等に関する。
【背景技術】
【０００２】
例えばＯＬＥＤ（有機発光ダイオード）パネルの製造工程では、有機物を、複数の貫通孔を有する蒸着マスク越しに基板に蒸着させることで、複数の貫通孔に対応する有機物のパターンを形成する。【０００３】
蒸着工程では、複数のマスクシートを枠体（フレーム）に固定して使用する。具体的には、マスクシートに張力を与えた状態で蒸着マスクの枠体に対する位置合わせを行い、マスクシートを枠体に溶接する（特許文献１参照）。
【先行技術文献】
【特許文献】
【０００４】
【特許文献１】日本国公開特許公報「特開２０１５−１２７４４６号（公開日：２０１５年７月９日）」
【発明の概要】
【発明が解決しようとする課題】
【０００５】
発明者は、蒸着マスクの枠体に対する位置合わせのときの蒸着マスクの張力状態と、溶接後の蒸着マスクの張力状態とが異なることで、溶接後に蒸着マスクの貫通孔が枠体に対して位置ずれしたり変形したりするおそれがあることを見出した。
【課題を解決するための手段】
【０００６】
本発明の一形態にかかるマスクシートは、第１方向を長手方向とする蒸着用のマスクシートであって、グリップ可能な第１側端部と、複数の貫通孔を有する中間部とを備え、前記第１側端部および中間部の間に、第１方向と直交する第２方向の長さである幅が中間部よりも小さい第１狭幅部、あるいは、前記第２方向に向かい合う２つのエッジに沿って厚みが中間部の最大厚みよりも小さくされた２つのエッジパターンを含む。
【発明の効果】
【０００７】
マスクシートを枠体に溶接した後にマスクシートの貫通孔が枠体に対して位置ずれしたり変形したりするおそれを低減することができる。
【図面の簡単な説明】
【０００８】
【図１】（ａ）はＯＬＥＤパネルの製造方法を示すフローチャートであり、（ｂ）はＯＬＥＤディスプレイの構成を示す断面図である。
【図２】ＯＬＥＤパネルの蒸着工程を示す模式図である。
【図３】実施形態１に係る蒸着マスクを示すもので、（ａ）は蒸着マスクの平面図、（ｂ）は蒸着マスクのｃ−ｃ断面図、（ｃ）は蒸着マスクのｆ−ｆ断面図、（ｄ）はマスクシートの架張手法を示す平面図である。
【図４】蒸着マスクの作製方法を示すフローチャートである。
【図５】実施形態１に係る別の蒸着マスクを示すもので、（ａ）は蒸着マスクの平面図、（ｂ）は蒸着マスクのｃ−ｃ断面図、（ｃ）は蒸着マスクのｆ−ｆ断面図である。
【図６】実施形態１に係るさらに別の蒸着マスクを示すもので、（ａ）は蒸着マスクの平面図、（ｂ）は蒸着マスクのｃ−ｃ断面図、（ｃ）は蒸着マスクのｆ−ｆ断面図である。
【図７】実施形態２に係る蒸着マスクを示すもので、（ａ）は蒸着マスクの平面図、（ｂ）は蒸着マスクのｃ−ｃ断面図、（ｃ）は蒸着マスクのｆ−ｆ断面図、（ｄ）はマスクシートの架張手法を示す平面図である。
【図８】従来の蒸着マスクを示すもので、（ａ）は蒸着マスクの平面図、（ｂ）は蒸着マスクのｃ−ｃ断面図、（ｃ）は蒸着マスクのｆ−ｆ断面図である。
【発明を実施するための形態】
【０００９】
以下に、図１〜図８に基づき、本発明の実施形態を説明する。以下において、「等しい」と記載した場合には、完全に等しくなくとも技術常識や効果等に鑑みて略等しいあるいは実質的に等しいといえる場合を含むものとする。同様に、「一致する」と記載した場合には、完全に一致していなくとも技術常識や効果等に鑑みて、略一致するあるいは実質的に一致するといえる場合を含むものとする。
【００１０】
図１（ａ）は、ＯＬＥＤ（有機発光ダイオード）パネルの製造方法の概略を示すフローチャートであり、（ｂ）はＯＬＥＤディスプレイの構成を示す断面図である。図１（ａ）（ｂ）に示すように、ステップＳ１で基板２にＴＦＴアレイ層４（例えば、薄膜トランジスタ、信号線、陽極を含む）を形成する。また、別途、蒸着マスクを作製しておき（後述、図４のＳa〜Ｓｇ参照）、ステップＳ２でＯＬＥＤ素子層７（例えば、電気的機能層、発光層、陰極を含む）を形成する。
【００１１】
ステップＳ２には、蒸着マスクを用いた蒸着工程が含まれる。この蒸着工程では、例えば図２のように、ＴＦＴアレイ層を含む基板５に複数の貫通孔を有するマスクシート１０を密着させ、真空下において、蒸着源７０で気化あるいは昇華させた蒸着粒子Ｚ（例えば、有機発光材）をマスクシート１０越しに基板５に蒸着させることで、マスクシート１０の貫通孔に対応する蒸着パターンを形成する。
【００１２】
ステップＳ３ではＯＬＥＤ封止層８を形成する。ステップＳ４では基板の分断化を行って複数のＯＬＥＤパネルとし、ステップＳ５で、ＯＬＥＤパネルに偏光およびタッチセンサ機能を有する機能層９やドライバ回路を設け、ＯＬＥＤディスプレイとする。
【００１３】
〔実施形態１〕
図３は、実施形態１に係る蒸着マスクを示すもので、実施形態１に係る蒸着マスクを示すもので、（ａ）は蒸着マスクの平面図、（ｂ）は蒸着マスクのｃ−ｃ断面図、（ｃ）は蒸着マスクのｆ−ｆ断面図、（ｄ）はマスクシートの架張手法を示す平面図である。
【００１４】
図３に示すように、実施形態１に係る蒸着マスク２０は、フレーム（枠体）１２と、フレーム１２のＤ１方向（横方向）に架けられる複数のカバーシート（架橋シート）１１ａ・１１ｂと、フレーム１２のＤ２方向（縦方向）に架けられる複数のサポートシート１３と、複数のマスクシート１０とを備える。図３では、説明の便宜上、マスクシート１０を１枚だけ記載しているが、実際は、隣り合うカバーシートの間隙の数だけマスクシート１０が設けられる。図３（ｂ）では、（断面に含まれない）カバーシート１１ａの位置を破線で示している。
【００１５】
マスクシート１０は、短冊状に分割された短冊状の蒸着用マスクシート（ディバイデッドシート）であって、例えば、インバー材等により構成され、その厚さは、例えば、１０μｍ〜１００μｍである。マスクシート１０は、グリップ可能な２つの側端部Ｇ１・Ｇ２と、中間部Ｍとを備える。中間部Ｍには、複数の貫通孔（蒸着対象となる粒子を通過させる蒸着孔）が形成された有効部Ａａが長手方向（Ｄ１方向）に複数並べられており、各有効部ＡａがＯＬＥＤパネル１枚分に相当する。マスクシート１０では、Ｄ１方向に直交するＤ２方向の長さを各部の幅（シート幅）とする。
【００１６】
図３（ａ）に示されるように、マスクシート１０は、側端部Ｇ１および中間部Ｍの間に狭幅部Ｋ１を備え、側端部Ｇ２および中間部Ｍの間に狭幅部Ｋ２を備える。狭幅部Ｋ１・Ｋ２の幅Ｗｋ（Ｄ２方向の長さ）は中間部の幅Ｗｍよりも小さい。例えば、狭幅部Ｋ１においてＤ２方向に向かい合う２つのエッジＥ１・ｅ１は、中間部ＭにおいてＤ２方向に向かい合う２つのエッジＥ３・ｅ３よりも、Ｄ２方向に関して内側に位置している。
【００１７】
また、中間部Ｍは、有効部Ａａと、有効部Ａａを取り囲む非有効部とからなり、側端部Ｇ１・Ｇ２の幅Ｗｇは、中間部の幅Ｗｍよりも小さく、有効部の幅Ｗａよりも大きい。
【００１８】
図３（ａ）〜（ｃ）に示されるように、蒸着マスク２０では、狭幅部Ｋ１・Ｋ２に設けられた溶接部Ｙにおいてマスクシート１０と枠体１２とが溶接されている。
【００１９】
図３（ｃ）に示すように、例えば狭幅部Ｋ１と重畳する溶接部Ｙは、狭幅部Ｋ１においてＤ２方向に向かい合う２つのエッジの一方Ｅ１から他方ｅ１にまで至る。すなわち、溶接部ＹのＤ２方向の長さである溶接長Ｌｙは、狭幅部Ｋ１・Ｋ２の幅Ｗｋ、より具体的には、狭幅部Ｋ１・Ｋ２の最小幅に等しい。また、溶接長Ｌｙは、側端部Ｇ１・Ｇ２の幅Ｗｇに等しい。また、溶接長Ｌｙは有効部Ａａの幅Ｗａ以上である。
【００２０】
図３（ａ）〜（ｃ）に示されるように、蒸着マスク２０のマスクシート１０は、中間部ＭにおいてＤ２方向に向かい合う２つのエッジの一方Ｅ３がカバーシート１１ａに重ねられるとともに、他方ｅ３がカバーシート１１ｂに重ねられた状態で溶接部Ｙがフレーム１２に溶接される。ここでは、溶接長Ｌｙが、中間部の幅Ｗｍから、中間部Ｍの２つのエッジの一方Ｅ３とカバーシート１１ａとの重畳幅と、これら２つのエッジの他方ｅ３とカバーシート１１ｂとの重畳幅とを減じて得られる値以下としている。
【００２１】
なお、カバーシート１１ａ・１１ｂの各端部は、フレーム１２に設けられた凹部Ｈに、その開口から露出しないように嵌め込まれ、サポートシート１３の端部も、フレーム１２に設けられた、カバーシート１１よりも下の凹部に、その開口から露出しないように嵌め込まれる。これにより、蒸着源側から、サポートシート１３、カバーシート１１ａ・１１ｂ、マスクシート１０の順にフレーム１２に固定（溶接）される。
【００２２】
蒸着マスクの作製方法は図４のとおりである。図３（ａ）〜（ｃ）および図４に示すように、サポートシート１３の各端部をフレーム１２に設けられた凹部に嵌め込んで溶接し（ステップＳａ）、さらに、カバーシート１１ａ・１１ｂの各端部を、フレーム１２の凹部Ｈに、その開口から露出しないように嵌め込んで溶接する（ステップＳｂ）。
【００２３】
次いで、マスクシートをグリッパＤ１〜Ｄ４に装着した上でフレーム１２上に配置する（ステップＳｃ）。図３（ｄ）に示すように、側端部Ｇ１・Ｇ２それぞれは、中央部が切り欠かれた形状であり、側端部Ｇ１の切り欠きの両側に位置する部分をグリッパＤ１・Ｄ２に挟み、側端部Ｇ２の切り欠きの両側に位置する部分をグリッパＤ３・Ｄ４に挟み込む。ここでは、中間部Ｍの長手方向に沿う２つのエッジの一方Ｅ３をカバーシート１１ａに重ね、他方ｅ３をカバーシート１１ｂに重ねる。
【００２４】
次いで、グリッパＤ１〜Ｄ４によりマスクシートにかかる張力を調整し、精密な位置合わせを行う（ステップＳｄ）。位置合わせが完了すれば、レーザを用いて、マスクシートをフレームに溶接する（ステップＳｅ）。これにより、図３（ｃ）に示すように、マスクシート１０およびフレーム１２の融解による溶接スポットが複数形成される。ここでは、最外側の２つの溶接スポットを、マスクシートの２つのエッジＥ１・ｅ１近傍に形成することで、溶接長Ｌｙを、狭幅部Ｋ１の幅Ｗｋ（具体的には最小幅）に略一致させている。
【００２５】
溶接が完了すれば、両側端部Ｇ１・Ｇ２のグリッパＤ１〜Ｄ４を解除する（ステップＳｆ）。以上を繰り返して、マスクシート全枚をフレーム１２に張り終えたら、溶接箇所外側の不要部分をカットする（ステップＳｇ）。
【００２６】
図８は、従来の蒸着マスクを示すもので、（ａ）は蒸着マスクの平面図、（ｂ）は蒸着マスクのｃ−ｃ断面図、（ｃ）は蒸着マスクのｆ−ｆ断面図である。
【００２７】
従来の蒸着マスクでは、図８（ａ）に示すように、マスクシートの幅が各部で均一な値（ＷＳ）であるため、カーバーシートの端部上に位置する四隅にもグリッパによる張力Ｔがかかる。しかしながら、図８（ｂ）（ｃ）に示すように、この四隅はフレーム凹部の開口上（カーバーシートの端部上）に位置するため溶接ができず、溶接長がシート幅（ＷＳ）よりも小さくなる。したがって、溶接後にグリッパを解除すると、マスクシートの張力状態が変化して四隅に内向きの応力がかかり、有効部の貫通孔の位置がずれたり、変形したりするおそれがある。
【００２８】
一方、実施形態１（図３）のマスクシート１０では、狭幅部Ｋ１・Ｋ２に溶接部Ｙを設け、溶接長Ｌｙを、狭幅部Ｋ１・Ｋ２の幅Ｗｋ（具体的には最小幅）に略一致させている（溶接長Ｌｙを溶接部Ｙにおけるシート幅にほぼ一致させている）。こうすれば、溶接後のグリッパ解除時に生じる、マスクシートの張力状態の変化を抑制することができ、有効部Ａａの貫通孔の位置がずれたり、変形したりするおそれを低減することができる。この効果は、溶接長Ｌｙを側端部Ｇ１・Ｇ２の幅Ｗｇに等しくしたり、溶接長Ｌｙを有効部Ａａの幅Ｗａ以上とすることでより高めることができる。
【００２９】
図５は、実施形態１に係る別の蒸着マスクを示すもので、（ａ）は蒸着マスクの平面図、（ｂ）は蒸着マスクのｃ−ｃ断面図、（ｃ）は蒸着マスクのｆ−ｆ断面図である。図５（ｂ）では、（断面に含まれない）カバーシート１１ａの位置を破線で示している。
【００３０】
図５（ａ）に示されるように、マスクシート１０は、側端部Ｇ１および中間部Ｍの間に括れ形状の狭幅部Ｋ１を備え、側端部Ｇ２および中間部Ｍの間に括れ形状の狭幅部Ｋ２を備える。狭幅部Ｋ１・Ｋ２の幅ＷＫは中間部の幅Ｗｍよりも小さい。例えば、狭幅部Ｋ１においてＤ２方向に向かい合う２つのエッジＥ１・ｅ１は、中間部ＭにおいてＤ２方向に向かい合う２つのエッジＥ３・ｅ３よりも、Ｄ２方向に関して内側に位置している。
【００３１】
また、側端部Ｇ１・Ｇ２の幅Ｗｇは、中間部の幅Ｗｍと同一で、有効部の幅Ｗａよりも大きい。
【００３２】
図５（ａ）〜（ｃ）に示されるように、蒸着マスク２０では、狭幅部Ｋ１・Ｋ２に設けられた溶接部Ｙにおいてマスクシート１０と枠体１２とが溶接されている。
【００３３】
図５（ａ）（ｃ）に示すように、例えば狭幅部Ｋ１と重畳する溶接部Ｙは、狭幅部Ｋ１においてＤ２方向に向かい合う２つのエッジの一方Ｅ１から他方ｅ１にまで至る。すなわち、溶接部ＹのＤ２方向の長さである溶接長Ｌｙは、狭幅部Ｋ１・Ｋ２の最小幅ＷＫに略等しい。また、溶接長Ｌｙは、側端部Ｇ１・Ｇ２の幅Ｗｇよりも小さい。また、溶接長Ｌｙは有効部Ａａの幅Ｗａ以上である。
【００３４】
図５（ａ）〜（ｃ）に示されるように、蒸着マスク２０のマスクシート１０は、中間部ＭにおいてＤ２方向に向かい合う２つのエッジの一方Ｅ３がカバーシート１１ａに重ねられるとともに、他方ｅ３がカバーシート１１ｂに重ねられた状態で溶接部Ｙがフレーム１２に溶接される。ここでは、溶接長Ｌｙが、中間部の幅Ｗｍから、中間部Ｍの２つのエッジの一方Ｅ３とカバーシート１１ａとの重畳幅と、これら２つのエッジの他方ｅ３とカバーシート１１ｂとの重畳幅とを減じて得られる値以下とされている。
【００３５】
このように、括れ形状の狭幅部Ｋ１・Ｋ２に溶接部Ｙを設け、溶接長Ｌｙを、狭幅部Ｋ１・Ｋ２の最小幅ＷＫに略一致させる（溶接長Ｌｙを、溶接部Ｙにおけるシート幅に可能な限り近づけ、実質的に前記シート幅に一致させる）ことで、溶接後のグリッパ解除時に生じる、マスクシートの張力状態の変化を抑制することができ、有効部Ａａの貫通孔の位置がずれたり、変形したりするおそれを低減することができる。
【００３６】
図６は、実施形態１に係るさらに別の蒸着マスクを示すもので、（ａ）は蒸着マスクの平面図、（ｂ）は蒸着マスクのｃ−ｃ断面図、（ｃ）は蒸着マスクのｆ−ｆ断面図である。図６（ｂ）では、（断面に含まれない）カバーシート１１ａの位置を破線で示している。
【００３７】
図６（ａ）に示されるように、マスクシート１０は、側端部Ｇ１および中間部Ｍの間に、括れ形状の２つの狭幅部Ｋ１（側端部側）および狭幅部ｋ１（中間部側）を備える。また、側端部Ｇ２および中間部Ｍの間に、括れ形状の２つの狭幅部Ｋ２（側端部側）および狭幅部ｋ２（中間部側）を備える。
【００３８】
狭幅部Ｋ１・Ｋ２の幅Ｗｋおよび狭幅部ｋ１・ｋ２の幅Ｗｋ’は中間部の幅Ｗｍよりも小さい。例えば、狭幅部Ｋ１においてＤ２方向に向かい合う２つのエッジＥ１・ｅ１は、中間部ＭにおいてＤ２方向に向かい合う２つのエッジＥ３・ｅ３よりも、Ｄ２方向に関して内側に位置し、狭幅部ｋ１においてＤ２方向に向かい合う２つのエッジＥ１’・ｅ１’は、前記２つのエッジＥ３・ｅ３よりも、Ｄ２方向に関して内側に位置している。
【００３９】
また、側端部Ｇ１・Ｇ２の幅Ｗｇは、中間部の幅Ｗｍと同一で、有効部の幅Ｗａよりも大きい。
【００４０】
図６（ａ）〜（ｃ）に示されるように、蒸着マスク２０では、２つの狭幅部Ｋ１・ｋ１間に設けられた溶接部Ｙと、２つの狭幅部Ｋ２・ｋ２間に設けられた溶接部Ｙとにおいてマスクシート１０と枠体１２とが溶接されている。
【００４１】
図６（ａ）（ｃ）に示すように、溶接部ＹのＤ２方向の長さである溶接長Ｌｙは、狭幅部Ｋ１の最小幅ＷＫおよび狭幅部ｋ１の最小幅ＷＫ’に等しい。また、溶接長Ｌｙは、側端部Ｇ１・Ｇ２の幅Ｗｇよりも小さい。また、溶接長Ｌｙは有効部Ａａの幅Ｗａ以上である。
【００４２】
図６（ａ）〜（ｃ）に示されるように、蒸着マスク２０のマスクシート１０は、中間部ＭにおいてＤ２方向に向かい合う２つのエッジの一方Ｅ３がカバーシート１１ａに重ねられるとともに、他方ｅ３がカバーシート１１ｂに重ねられた状態で溶接部Ｙがフレーム１２に溶接される。ここでは、溶接長Ｌｙが、中間部の幅Ｗｍから、中間部Ｍの２つのエッジの一方Ｅ３とカバーシート１１ａとの重畳幅と、これら２つのエッジの他方ｅ３とカバーシート１１ｂとの重畳幅とを減じて得られる値以下とされている。
【００４３】
図６のマスクシート１０では、溶接長Ｌｙが溶接部Ｙにおけるシート幅よりも小さくなるものの、溶接部ＹのＤ１方向の両側に２つの狭幅部（Ｋ１・ｋ１あるいはＫ２・ｋ２）を設けることで、Ｄ２方向にみて溶接部Ｙよりも外側に位置する部分にかかる張力を極力小さくすることができ、溶接後のグリッパ解除時に生じる、マスクシートの張力状態の変化を抑制することができる。
【００４４】
なお、Ｌｙを、ＷＫおよびＷＫ’よりも大きくすれば、溶接部Ｙの外側応力を効果的に低減でき、Ｌｙを、ＷＫおよびＷＫ’よりも小さくすれば、マスクシート１０が比較的薄い場合に溶接部Ｙの外側応力を効果的に低減でき、Ｌｙを、ＷＫよりも大きくＷＫ’よりも小さくすれば、マスクシート１０の剛性を保ちつつ、溶接部Ｙの外側応力を低減することができる。
【００４５】
実施形態１では、カバーシート１１ａ・１１ｂがサポートシート１３よりも上側（マスクシート側）に位置するが、カバーシートとサポートシートの上下関係を逆にする（サポートシートを上側とする）こともでき、この場合も前記と同様の効果が得られる。
【００４６】
〔実施形態２〕
図７は、実施形態２に係る蒸着マスクを示すもので、（ａ）は蒸着マスクの平面図、（ｂ）は蒸着マスクのｃ−ｃ断面図、（ｃ）は蒸着マスクのｆ−ｆ断面図、（ｄ）はマスクシートの架張手法を示す平面図である。図７（ｂ）では、（断面に含まれない）カバーシート１１ａの位置を破線で示している。
【００４７】
実施形態２のマスクシート１０では、図７のように、側端部Ｇ１および中間部Ｍの間に、幅方向に向かい合う２つのシートエッジＥａ・Ｅｂに沿って厚みが中間部の最大厚みよりも小さくされた２つのエッジパターンＰａ・Ｐｂが形成され、側端部Ｇ２および中間部Ｍの間に、幅方向に向かい合う２つのシートエッジＥａ・Ｅｂに沿って厚みが中間部の最大厚みよりも小さくされた２つのエッジパターンｐａ・ｐｂが形成されている。
【００４８】
２つのエッジパターン（Ｐａ・Ｐｂあるいはｐａ・ｐｂ）の間隔Ｗｐは有効部の幅Ｗａ）よりも大きい。また、側端部Ｇ１・Ｇ２の幅Ｗｇは、中間部の幅Ｗｍと同一で、有効部の幅Ｗａよりも大きい。
【００４９】
図７（ａ）〜（ｃ）に示されるように、蒸着マスク２０では、２つのエッジパターンＰａ・Ｐｂの間に設けられた溶接部Ｙと、２つのエッジパターンｐａ・ｐｂの間に設けられた溶接部Ｙとにおいてマスクシート１０と枠体１２とが溶接されている。
【００５０】
図７（ａ）（ｃ）に示すように、溶接部ＹのＤ２方向の長さである溶接長Ｌｙは、２つのエッジパターン（Ｐａ・Ｐｂあるいはｐａ・ｐｂ）の間隔Ｗｐに等しく、側端部Ｇ１・Ｇ２の幅Ｗｇおよび中間部の幅Ｗｍよりも小さい。
【００５１】
図７（ａ）〜（ｃ）に示されるように、蒸着マスク２０のマスクシート１０は、中間部ＭにおいてＤ２方向に向かい合う２つのエッジの一方Ｅａがカバーシート１１ａに重ねられるとともに、他方Ｅｂがカバーシート１１ｂに重ねられた状態で溶接部Ｙがフレーム１２に溶接される。ここでは、溶接長Ｌｙが、中間部の幅Ｗｍから、中間部Ｍの２つのエッジの一方Ｅａとカバーシート１１ａとの重畳幅と、これら２つのエッジの他方Ｅｂとカバーシート１１ｂとの重畳幅とを減じて得られる値以下とされている。
【００５２】
図７のマスクシート１０では、溶接長Ｌｙが溶接部Ｙにおけるシート幅よりも小さくなるものの、溶接部ＹのＤ２方向の両側に２つのエッジパターン（Ｐａ・Ｐｂあるいはｐａ・ｐｂ）を設けることで、Ｄ２方向にみて溶接部Ｙよりも外側に位置する部分にかかる張力を小さくすることができ、図７（ｄ）のグリッパＤ１〜Ｄ４解除時に生じる、マスクシートの張力状態の変化を抑制することができる。
【００５３】
さらに、実施形態２のマスクシート１０では、溶接部Ｙと中間部Ｍとの間に、厚みが中間部Ｍの最大厚みよりも小さい複数の線条パターンＬｐが、中間部Ｍに向けて放射状に伸びるように設けられているため、溶接後のグリッパ解除時に生じる、マスクシートの張力状態の変化をさらに抑制することができる。なお、線条パターンＬｐは、厚みが中間部Ｍの最大厚みよりも小さければよく、スリット形状（完全に貫かれて厚みがない状態）でも構わない。
【００５４】
〔まとめ〕
態様１のマスクシートは、第１方向（Ｄ１）を長手方向とする蒸着用のマスクシートであって、グリップ可能な第１側端部（Ｇ１）と、複数の貫通孔を有する中間部（Ｍ）とを備え、前記第１側端部および中間部の間に、第１方向と直交する第２方向（Ｄ２）の長さである幅（Ｗｋ）が中間部よりも小さい第１狭幅部（Ｋ１）、あるいは、前記第２方向に向かい合う２つのエッジ（Ｅａ・Ｅｂ）に沿って厚みが中間部の最大厚みよりも小さくされた２つのエッジパターン（Ｐａ・Ｐｂ）を含む。
【００５５】
態様２では、第１狭幅部において第２方向に向かい合う２つのエッジ（Ｅ１・ｅ１）は、中間部において第２方向に向かい合う２つのエッジ（Ｅ３・ｅ３）よりも、第２方向に関して内側に位置する。
【００５６】
態様３では、前記中間部は、複数の貫通孔が形成された有効部（Ａａ）と、有効部を取り囲む非有効部とを含む。
【００５７】
態様４では、前記第１側端部の幅（Ｗｇ）は、中間部の幅（Ｗｍ）よりも小さく、有効部の幅（Ｗａ）よりも大きい。
【００５８】
態様５では、前記第１狭幅部は括れ形状であって、第１狭幅部の最小幅（ＷＫ）が、有効部の幅（Ｗａ）よりも大きく、第１側端部の幅（Ｗｇ）よりも小さい。
【００５９】
態様６では、前記第１側端部と中間部との間に、中間部の最大厚みよりも小さな厚みをもつ複数の線条パターン（Ｌｐ）が、中間部に向けて放射状に伸びるように設けられている。
【００６０】
態様７では、前記２つのエッジパターンの間隔（Ｗｐ）が有効部の幅（Ｗａ）よりも大きい。
【００６１】
態様８では、グリップ可能な第２側端部（Ｇ２）および上記中間部の間に、中間部よりも幅が小さい第２狭幅部（Ｋ２）、あるいは、前記第２方向に向かい合う２つのエッジ（Ｅａ・Ｅｂ）に沿って厚みが中間部の最大厚みよりも小さくされた２つのエッジパターン（ｐａ・ｐｂ）を含む。
【００６２】
態様９では、前記複数の貫通孔は、蒸着対象となる粒子を通過させる蒸着孔である。
【００６３】
態様１０の蒸着マスクは、前記マスクシート（１０）と、このマスクシートが固定される枠体とを備える。
【００６４】
態様１１では、前記第１狭幅部に設けられた溶接部（Ｙ）、あるいは、前記２つのエッジパターンの間に設けられた溶接部（Ｙ）においてマスクシートと枠体とが溶接されている。
【００６５】
態様１２では、前記溶接部の第２方向の長さ（Ｌｙ）が、第１狭幅部の幅に等しい。
【００６６】
態様１３では、前記溶接部の第２方向の長さが、第１狭幅部の最小幅に等しい。
【００６７】
態様１４では、前記溶接部の第２方向の長さが、第１側端部の幅に等しい。
【００６８】
態様１５では、前記溶接部の第２方向の長さが、中間部に設けられる有効部の幅以上である。
【００６９】
態様１６では、前記枠体に架ける第１および第２架橋シート（１１ａ・１１ｂ）を備え、中間部において第２方向に向かい合う２つのエッジの一方（Ｅ３）が前記第１架橋シートに重ねられるとともに、他方（ｅ３）が前記第２架橋シートに重ねられている。
【００７０】
態様１７では、前記溶接部の第２方向の長さが、中間部の幅から、前記中間部の２つのエッジの一方と前記第１架橋シートとの重畳幅と、前記中間部の２つのエッジの他方と前記第２架橋シートとの重畳幅とを減じて得られる値以下とされている。
【００７１】
態様１８では、前記第１および第２架橋シートの各端部は、枠体に設けられた凹部に、その開口から露出しないように嵌め込まれている。
【００７２】
態様１９の表示パネルの製造方法は、前記蒸着マスクを用いた蒸着工程を含む。
【００７３】
本発明は上述した実施形態に限定されるものではなく、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７４】
１０  マスクシート
１１ａ・１１ｂ  カバーシート
１２  フレーム
２０  蒸着マスク
Ｍ  中間部
Ｇ１・Ｇ２  側端部
Ｄ１〜Ｄ４  グリッパ
Ｈ  （フレームの）凹部
Ｋ１・Ｋ２・ｋ１・ｋ２  狭幅部
Ａａ  有効部
Ｐａ・Ｐｂ・ｐａ・ｐｂ  エッジパターン
Ｌｐ  線条パターン
Ｅ１・ｅ１  狭幅部におけるエッジ
Ｅ３・ｅ３  中間部におけるエッジ
【図１】
2018051444.tif 000003
【図２】
2018051444.tif 000004
【図３】
2018051444.tif 000005
【図４】
2018051444.tif 000006
【図５】
2018051444.tif 000007
【図６】
2018051444.tif 000008
【図７】
2018051444.tif 000009
【図８】
2018051444.tif 000010
【国際調査報告】
2018051444.tif 000011
2018051444.tif 000012